(57)【要約】【課題】見る角度によって異なった外観を呈し、意匠性に優れた容器を提供する。【解決手段】胴部の外表面に絵柄の印刷が施された容器であって、前記胴部の外表面に多数の凹凸が形成され、その凹凸の頂部を挟んだ一方の傾斜面に、全体として一つの絵柄８を構成する絵柄要素８ａが分割して印刷され、かつ他方の傾斜面に、全体として他の一つの絵柄９を構成する絵柄要素９ａが分割して印刷され、視線の方向に応じて視認される絵柄が前記一つの絵柄と他の一つの絵柄とに変化するように構成されている。【選択図】  図３
2004292007.tif 000002
【特許請求の範囲】
【請求項１】
胴部の外表面に絵柄の印刷が施された容器であって、
前記胴部の外表面に多数の凹凸が形成され、その凹凸の頂部を挟んだ一方の傾斜面に、全体として一つの絵柄を構成する絵柄要素が分割して印刷され、かつ他方の傾斜面に、全体として他の一つの絵柄を構成する絵柄要素が分割して印刷され、視線の方向に応じて視認される絵柄が前記一つの絵柄と他の一つの絵柄とに変化するように構成されていることを特徴とする複数の外観を呈する容器。
【請求項２】
胴部の外表面に絵柄の印刷が施された容器であって、
前記胴部の外表面に多数の凹凸が所定のピッチで形成され、その凹凸の表面に、該凹凸のピッチの半分以下の幅でかつ凹凸のピッチに対してずれたピッチとなる複数色のストライプ状の繰り返し縞模様が、そのストライプの方向を前記凹凸の配列方向に一致させた状態に印刷され、視線の方向に応じて前記複数色を混合させた色模様が生じるように構成されていることを特徴とする複数の外観を呈する容器。
【請求項３】
前記複数色が三原色であり、かつ前記色模様が虹色模様であることを特徴とする請求項２に記載の複数の外観を呈する容器。
【請求項４】
前記凹凸が、一定の間隔で互いに平行に形成されたビード状の凹凸であることを特徴とする請求項１ないし３のいずれかに記載の複数の外観を呈する容器。
【発明の詳細な説明】
【０００１】
【発明の属する技術分野】
本発明は、缶などの容器に関し、特にその外表面に凹凸部を形成し、その凹凸部を利用して複数の外観を呈するように構成した容器に関するものである。
【０００２】
【従来の技術】
飲料缶や各種の缶詰などに使用される缶あるいは容器は、内容物を収容し、またその表面に施された印刷によって内容物や製造元もしくは販売元を表示するなどの機能に加えて、購買意欲を喚起する意匠としての重要な機能をも備えている。そのため、従来、容器の表面に、各種の絵柄や写真などを模様として印刷することがおこなわれており、最近では、エンボス加工などによって表面に凹凸を付けることにより絵柄模様を立体感よく現出させることもおこなわれている。
【０００３】
しかしながら、これら単純な印刷やエンボス加工などによる立体化加工などの従来の手法では、絵柄を強調することができても、それ以上に意匠性を高め、あるいは需要者の印象を強くする作用が生じない。これに対して特許文献１ないし３に記載されている発明では、ステレオフォログラムなどを利用して絵柄を立体的に視認できるので、平面的に印刷された絵柄が、その形態を超えて立体的に視認され、その結果、容器の意匠性を向上させ、また需要者に対する印象を強くすることができる。
【０００４】
【特許文献１】
特開平１０−３２９８３１号公報（特許請求の範囲）
【特許文献２】
特開平１０−２５４３３８号公報（特許請求の範囲）
【特許文献３】
実用新案登録第３００１１１１号公報（実用新案登録請求の範囲）
【０００５】
【発明が解決しようとする課題】
容器の表面に施した印刷あるいはエンボス加工などにより凹凸を施した形態では、その印刷もしくは凹凸による表示を超えた絵柄を生じさせることができず、意匠性あるいは製品価値を向上させる点での限度がある。これに対してステレオホログラムなどの光学的手法を利用した上記の各特許文献に記載された容器では、印刷された絵柄以上の絵柄を視認することができるので、容器の意匠性を向上させることができる。
【０００６】
しかしながら、そのためには、多層の印刷を施す必要があり、あるいは光線を加減する必要があるなど、その製造コストが高くなり、あるいはその本来の機能を生じさせるために面倒な操作をおこなわなければならないなどの不都合があった。
【０００７】
本発明は上記の技術的課題に着目してなされたものであり、簡単な構造で意匠性を向上させることのできる容器を提供することを目的とするものである。
【０００８】
【課題を解決するための手段およびその作用】
上記の目的を達成するために、請求項１の発明は、胴部の外表面に絵柄の印刷が施された容器であって、前記胴部の外表面に多数の凹凸が形成され、その凹凸の頂部を挟んだ一方の傾斜面に、全体として一つの絵柄を構成する絵柄要素が分割して印刷され、かつ他方の傾斜面に、全体として他の一つの絵柄を構成する絵柄要素が分割して印刷され、視線の方向に応じて視認される絵柄が前記一つの絵柄と他の一つの絵柄とに変化するように構成されていることを特徴とする容器である。
【０００９】
したがって請求項１の発明では、凹凸を形成している傾斜面のうち、傾斜方向が同じになっている所定の傾斜面のそれぞれに、前記一つの絵柄を構成する絵柄要素が分割して印刷されているので、その傾斜面に対して垂直に近い角度の方向、すなわち凹凸が形成されている面に対して所定角度で傾斜した方向から見た場合に、前記各絵柄要素が連続した状態に見え、その絵柄要素で構成される一つの絵柄が視認される。また、他の傾斜面に、前記他の一つの絵柄を構成する絵柄要素が分割して印刷されているので、当該他の傾斜面に対して垂直に近い角度の方向、すなわち凹凸が形成されている面に対して、前述した場合とは反対方向に所定角度で傾斜した方向から見た場合に、前記各絵柄要素が連続した状態に見え、前記絵柄要素で構成される他の一つの絵柄が視認される。結局、視線の方向に応じて異なる絵柄が現れる。
【００１０】
また、請求項２の発明は、胴部の外表面に絵柄の印刷が施された容器であって、前記胴部の外表面に多数の凹凸が所定のピッチで形成され、その凹凸の表面に、該凹凸のピッチの半分以下の幅でかつ凹凸のピッチに対してずれたピッチとなる複数色のストライプ状の繰り返し縞模様が、そのストライプの方向を前記凹凸の配列方向に一致させた状態に印刷され、視線の方向に応じて前記複数色を混合させた色模様が生じるように構成されていることを特徴とする容器である。
【００１１】
したがって請求項２の発明では、凹凸のピッチと、その表面に施されかつ複数色を交互に配列したストライプ状の繰り返し縞模様のピッチとが異なっているので、凹凸を構成している傾斜面のいずれかに対してほぼ垂直な方向もしくはそれ以上に傾いた方向からその縞模様を見ると、いずれか他の傾斜面に施されている印刷もしくは模様が見えず、かつ視認される傾斜面に現れる色が、上記のピッチの相違により連続的に変化した状態となる。そのため、上記の複数色とこれらを混ぜ合わせた色とに連続して変化するストライプ模様が視認される。すなわち印刷した模様とは異なる模様が視認される。
【００１２】
さらに、請求項３の発明は、請求項２の発明における前記複数色が三原色であり、かつ前記色模様が虹色模様であることを特徴とする容器である。
【００１３】
したがって請求項３の発明では、三原色からなるストライプ状の繰り返し模様が、虹色の模様として現れる。
【００１４】
そして、本発明では、請求項４に記載してあるように、前記凹凸をビード状のものとして形成することができ、このような構成であれば、互いに異なる絵柄もしくは模様のそれぞれが、より明確なものとなる。
【００１５】
【発明の実施の形態】
つぎに本発明を具体例に基づいて説明する。本発明に係る容器の一例は、金属缶であって、例えば図１に示す金属缶１の缶胴２には、金属缶１の中心軸線を中心にした円環状の凹凸ビード３が、軸線方向に連続して形成されている。言い換えれば、缶胴２の外表面が波状に形成されている。図２はその一部すなわち図１におけるＩＩ部の拡大断面図である。図２に示すように、凹凸ビード３は、稜線（もしくは頂部）４を挟んだ両側の傾斜面５，６によって構成されており、その稜線４同士の間隔が一例として数ｍｍ程度の小さいピッチＰとなっている。
【００１６】
上記の凹凸ビード３が形成されている部分の表面に、複数の絵柄を複合させた印刷が施されている。その一例を図３ないし図５に示してある。すなわち凹凸ビード３の表面に印刷されている印刷絵柄７は、図４の（Ａ）に示す絵柄８と、図４の（Ｂ）に示す絵柄９とを複合させたものである。より具体的に、各絵柄８，９を前記凹凸ビード３の半分のピッチでストライプ状に分割することにより、それぞれを絵柄要素８ａ，９ａに分け、さらにそれぞれの絵柄要素８ａ，９ａ同士を、凹凸ビード３の半分のピッチに離隔させて並べると、図５の（Ａ）および（Ｂ）のようになる。このように離隔させて並べた各絵柄要素８ａ，９ａを、一方の絵柄要素８ａの間に他方の絵柄要素９ａを挟み込むように組み合わせた状態が、図３に示す印刷絵柄７である。
【００１７】
そして、その印刷絵柄７を構成している各絵柄要素８ａ，９ａのうち、例えば笑い顔の絵柄８についての絵柄要素８ａを、金属缶１の上方向を向く傾斜面（以下、仮に上向き斜面という）５に一致させ、かつ泣き顔の絵柄９についての絵柄要素９ａを、金属缶１の下方向を向く傾斜面（以下、仮に下向き斜面という）６に一致させた状態で、上記の印刷絵柄７が缶胴２における凹凸ビード３の表面に印刷されている。
【００１８】
したがって、上記の印刷絵柄７が付された缶胴２をその半径方向から垂直に見た場合には、凹凸ビード３における各傾斜面５，６の両方を等しく見ることになるので、ほぼ印刷どおりの絵柄、すなわち図３に示す絵柄７が視認される。これに対して、缶胴２を斜め上方側から見た場合、主に上向き斜面５が見え、下向き斜面６が隠れた状態になるので、上向き斜面５に付されている絵柄要素８ａが、互いに連続している状態に見える。その結果、これらの絵柄要素８ａで構成される全体として一つの笑い顔の絵柄（図４の（Ａ）に示す絵柄）８が主に視認できる。
【００１９】
一方、缶胴２を斜め下方向から見た場合、主に下向き斜面６が見え、上向き斜面５が隠れた状態になるので、下向き斜面６に付されている絵柄要素９ａが、互いに連続している状態に見える。その結果、これらの絵柄要素９ａで構成される全体として一つの泣き顔の絵柄（図４の（Ｂ）に示す絵柄）９が主に視認できる。
【００２０】
結局、上記の金属缶１においては、施されている印刷絵柄７が、二つの絵柄８，９を複合させたものであり、かつ凹凸ビード３のピッチに合わせて印刷されたものであることにより、見る方向によって異なる二つの絵柄８，９が現れ、複数の外観を呈する。そのため、絵柄の多様性やその現れ方の意外性などが要因となって、金属缶１の意匠性が向上し、また消費者の購買意欲を増進させることができる。
【００２１】
つぎに本発明の他の例を説明する。本発明は、印刷した形態とは異なる形態を視認できるように構成されている点に特徴があり、その形態は、上述したような具体的で特別の意味のあるものである必要はなく、単なる模様であってもよい。図６は、前記凹凸ビード３の表面に印刷されているいわゆる印刷模様２１の他の例を示しており、ここに示す例は、複数色のストライプ模様である。
【００２２】
より具体的には、三原色で彩色された三本のストライプ模様２１ａ，２１ｂ，２１ｃを交互に並べた繰り返し模様である。各ストライプ模様２１ａ，２１ｂ，２１ｃのそれぞれの幅Ｗは、凹凸ビード３のピッチＰの１／３の寸法から僅かずれた寸法に設定されている。例えば凹凸ビード３のピッチＰを３ｍｍにした場合、各ストライプ模様２１ａ，２１ｂ，２１ｃの幅Ｗは、１．１ｍｍに設定されている。したがって三本のストライプ模様２１ａ，２１ｂ，２１ｃが繰り返し単位となっているので、印刷模様２１のピッチＰｍ  と凹凸ビード３のピッチＰとが相違している。
【００２３】
これらのピッチＰ，Ｐｍ  相互の関係を、より具体的に説明すると、
ａ×Ｐｍ  ＝Ｐ×ｂ    （ａ，ｂ＝１，２，３，……）
ａ＝ｂ±１
の関係（最小公倍数）を保ちながらａの値が大きくなる方が緩やかな虹色の変化となる。また、ａの値が１に近くなると色の変化が急激となるので、ａ＝１０〜２０が自然で綺麗な虹色の変化となる。
【００２４】
図６に示す印刷模様２１は、そのストライプ模様２１ａ，２１ｂ，２１ｃの長手方向と凹凸ビード３の稜線４の方向とが一致するように、凹凸ビード３の表面に印刷されている。その状態を断面図として図７に模式的に示してある。上述したように、凹凸ビード３のピッチＰと印刷模様２１の繰り返しピッチＰｍ  とにずれがあるから、凹凸ビード３における稜線４や各傾斜面５，６と各ストライプ模様２１ａ，２１ｂ，２１ｃとの相対位置が、缶胴２の上側から下側に向けて、あるいは下側から上側に向けて次第にずれた状態となる。
【００２５】
したがって、上記の印刷絵柄７が付された缶胴２をその半径方向から垂直に見た場合には、凹凸ビード３における各傾斜面５，６の両方を等しく見ることになるので、ほぼ印刷どおりの絵印刷模様２１、すなわち図６に示す三本のストライプ模様２１ａ，２１ｂ，２１ｃが繰り返している模様が視認される。これに対して、缶胴２を斜め上方側あるいは下方側から見た場合、上向き斜面５と下向き斜面６とのいずれか一方が主に見え、しかも手前側の稜線４が後ろ側の傾斜面に重なって見える。
【００２６】
そして、上述したように印刷模様２１のピッチＰｍ  と凹凸ビード３のピッチＰとが相違していることにより、主に視認できる傾斜面に施されている色合いが順次ずれており、それに伴って重なり合った状態になる色およびその重なりの度合いが連続的に変化した状態となる。そのため、視認される色合いが複雑に変化し、特に上記の例では、三原色が使用されているので、色の配列および重なり合いにより虹色もしくはそれに近い模様が浮かび上がる。
【００２７】
結局、凹凸ビード３の表面に図６に示す印刷模様２１を付した上記の金属缶１においては、三色のストライプ模様２１ａ，２１ｂ，２１ｃからなる繰り返し模様であっても、缶胴２を上側もしくは下側の斜め方向から見た場合に、印刷模様２１とは異なる虹色模様が視認され、複数の外観を呈することになる。そのため、絵柄の多様性やその現れ方の意外性などが要因となって、金属缶１の意匠性が向上し、また消費者の購買意欲を増進させることができる。
【００２８】
ここで、上述した凹凸ビード３および模様を有する金属缶１の製造方法を説明すると、上記の凹凸ビード３は缶胴２に模様を印刷した後に加工する。その缶胴２に模様を印刷する方法は、缶胴と上下の蓋とが別に製造させるいわゆる３ピース缶と、缶胴と底部とが一体の２ピース缶とで異なっている。
【００２９】
先ず、３ピース缶について説明すると、金属板に平版を使用して上記の絵柄もしくは模様を印刷し、そのインキが乾いていない状態でクリヤー塗装をおこない、乾燥させる。その後、印刷の完了した上記の金属板を、１つの缶胴用の大きさに切断し、これを円筒状に曲げ加工し、その突き合わせ部で溶接する。こうして得られた円筒体に前述した凹凸ビード３を形成する。そのための加工方法としては、エンボス加工や、インナーツールとアウターツールとを使用したビード成形などの方法を採用することができる。なお、凹凸ビード３の深さは、０．３ｍｍ程度とすることができる。こうして凹凸ビード３の形成された円筒体の開口端にネック加工を施し、缶胴とする。
【００３０】
これに対して２ピース缶の場合は、金属ブランクに絞り・しごき加工を施して有底円筒体に成形し、その外周面に所定の製版を使用した凸版印刷によって上記の絵柄もしくは模様を印刷する。ついで、その開口端にネック加工を施して缶胴とする。
【００３１】
なお、本発明は、上述した具体例に限定されないのであって、本発明における凹凸部は、上述したビード状のもの以外に、多数の突起として形成されたものであってもよい。その場合、絵柄はいわゆる点描画に近い絵柄となり、またビード状のものとは異なり、二方向以上の複数方向から異なる絵柄を視認できるようになる。さらに、凹凸をビードとして形成する場合、その方向は、上述した具体例における容器の中心軸線を中心とした円環状に限らないのであり、その方向は容器の中心軸線に平行であってもよく、また所定角度で傾斜していてもよい。そして、凹凸を形成する範囲は、容器の外面の全体、もしくは外周面の全体である必要はなく、任意の一部であってもよい。
【００３２】
他方、本発明における絵柄は、文字や記号などの輪郭を有するものや、単なる色のように輪郭のないものなどを含み、要は目視によって知覚できるものを含む。そして、本発明における複数色を混合させた色模様は、虹色模様に限らず、他の各種の色模様を含む。またそして、本発明における容器は、上述した金属缶以外に、合成樹脂あるいは天然材料などを素材とした缶以外の箱や包装容器などの容器であってよい。
【００３３】
【発明の効果】
以上説明したように、請求項１の発明によれば、絵柄が印刷されている容器の外面に対する視線の角度によって異なった絵柄や色調が視認されるので、例えば小売店において目線より高い位置に陳列した場合と、目線より低い位置に陳列した場合とでは、異なった外観を呈することになり、その結果、製品としての意匠性が向上し、また消費者の購買意欲を増進させることができる。
【００３４】
また、請求項２の発明によれば、絵柄が印刷されている容器の外面に対する視線の角度によって色模様が異なって見えるので、例えば小売店において目線より高い位置に陳列した場合と、目線より低い位置に陳列した場合、あるいは目線とほぼ同じ高さに陳列した場合では、異なった外観を呈することになり、その結果、製品としての意匠性が向上し、また消費者の購買意欲を増進させることができる。
【００３５】
さらに、請求項３の発明によれば、容器の外観を虹色模様とストライプ模様もしくは点描模様に変化させることができ、製品としての意匠性を向上させるとともに、消費者の購買意欲を増進させることができる。
【００３６】
そして、請求項４の発明によれば、視線の角度によって異なって視認される絵柄や色調が、より明瞭なものとなるので、製品としての意匠性を向上させるとともに、消費者の購買意欲を増進させることができる。
【図面の簡単な説明】
【図１】本発明に係る金属缶の表面印刷を省略して輪郭を示す正面図である。
【図２】その缶胴に凹凸形状を示し、図１のＩＩ部の拡大断面図である。
【図３】印刷絵柄の一例を示す図である。
【図４】図３の印刷絵柄を構成している二つの絵柄を示す図である。
【図５】図４に示す各絵柄のそれぞれを絵柄要素に分割して示す図である。
【図６】色の異なるストライプ模様の繰り返しからなる印刷模様の一例を色調を除いて示す図である。
【図７】そのストライプ模様と凹凸ビードとの相対位置を説明するための部分拡大断面図である。
【符号の説明】
１…金属缶、  ２…缶胴、  ３…凹凸ビード、  ４…稜線（もしくは頂部）、５，６…傾斜面、  ７…印刷絵柄、  ８，９…絵柄、  ８ａ，９ａ…絵柄要素、  ２１…印刷模様、  ２１ａ，２１ｂ，２１ｃ…ストライプ模様。
【図１】
2004292007.tif 000003
【図２】
2004292007.tif 000004
【図３】
2004292007.tif 000005
【図４】
2004292007.tif 000006
【図５】
2004292007.tif 000007
【図６】
2004292007.tif 000008
【図７】
2004292007.tif 000009